(57)【要約】【課題】  ＰＣ床版を効率よく設置できる機械化した自走式ＰＣ床版架設機および架設工法を提供すること。【解決手段】  自走式ＰＣ床版架設機において、ガーダ１の中間部に、枠型前部脚２および枠型後部脚３が間隔をおいて配置されると共に架設機昇降用ジャッキ７を備えた枠型前部脚２および枠型後部脚３の上部が固定され、ガーダ１に設けられた走行用レール１０に、下部に吊り装置１８および旋回部１７を有する走行用トロリが走行可能に設けられている。枠型前部脚２と枠型後部脚３の左右両側に外側に張り出す一側部支持レール２４と他側部支持レール２４が設けられ、各一側部支持レール２４に渡って設けられた一側部防護足場兼支保工装置３４ａと、各他側部支持レール２４に渡って設けられた他側部防護足場兼支保工装置３４とが、鋼桁３７を囲むように相互に接近および離反移動可能に構成されている自走式ＰＣ床版架設機およびその架設機を使用して効率よくＰＣ床版を架設する架設工法。【選択図】図１
2006028881.tif 000002
【特許請求の範囲】
【請求項１】
桁上にＰＣ床版を架設する自走式ＰＣ床版架設機において、前後方向に延長するガーダの中間部に、枠内側が開放された枠型前部脚および枠型後部脚が間隔をおいて配置されると共に前記枠型前部脚および枠型後部脚の上部が固定され、枠型前部脚および枠型後部脚には架設機昇降用ジャッキを備え、前記ガーダには前後方向に延長する走行用レールが枠型前部脚内および枠型後部脚内を通るように設けられ、前記走行用レールに、下部に旋回部を有する走行用トロリが走行可能に設けられ、前記旋回部に吊り装置が設けられていることを特徴とする自走式ＰＣ床版架設機。
【請求項２】
枠型前部脚および枠型後部脚の左右両側にそれぞれ外側に張り出す一側部支持レールと他側部支持レールが設けられ、各一側部支持レールにそれぞれ支持される横行用トロリに渡って設けられた一側部防護足場兼支保工装置と、各他側部支持レールにそれぞれ支持される横行用トロリに渡って設けられた他側部防護足場兼支保工装置とが、桁を囲むように相互に接近および離反移動可能に構成されていることを特徴とする請求項１に記載の自走式ＰＣ床版架設機。
【請求項３】
請求項１または請求項２の自走式ＰＣ床版架設機を使用して、自走式ＰＣ床版架設機をジャッキアップして前部レールから前部走行車輪を浮かせ、その前部レールの前部を前方にかつ前部レールの後端部を前部走行車輪の下に搬送移動して桁上に敷設し、前部レールを取り除いた区間の桁上にＰＣ床版を架設した後、既設の床版上レールに接続するように前記ＰＣ床版上に新設の床版上レールを設け、次いで前部レールおよび床版上レールを利用して自走式ＰＣ床版架設機を次にＰＣ床版を架設する区間に移動させる工程を繰り返すことを特徴とするＰＣ床版の架設工法。
【発明の詳細な説明】
【技術分野】
【０００１】
本発明は、鋼桁等の桁上にＰＣ（プレキャストコンクリート）床版を架設するための自走式ＰＣ床版架設機およびＰＣ床版の架設工法に関する。
【背景技術】
【０００２】
従来、鋼桁にＰＣ床版を設置する方法としては、トラッククレーンでＰＣ床版を架設するか、小型の架設機を用いて1枚ずつ架設していた。（例えば、特許文献１，２参照）
【特許文献１】特開２００３−７４０１８号公報
【特許文献２】特開平６−３０６８１９号公報
【発明の開示】
【発明が解決しようとする課題】
【０００３】
従来の方法では、ＰＣ床版の設置作業効率が悪くコストアツプにつながる。また、新線を市街地で構築する場合、周りの既設道路を使う事も制限される場合が多く、夜間において、限られた空間と時間内では長期間を要していた。
また、ＰＣ床版の間に現場打ちの床版がある場合、その部分の型枠、足場、養生設備を別に準備しなければならなかった。
都市および市街地内の街路と並行もしくは立体交差している橋梁の床版工事を行う場合に、街路の安全確保のために防護足場を設置するとともに、床版施工用の重機等の使用のため、街路の交通を阻害することになる課題がある。
【０００４】
本発明は、ＰＣ床版を効率よく設置することができ、床版の幅員変化に対応して対向する防護足場間隔を狭くしたり広げたり変化させることができ、街路の安全を確保するとともに交通阻害をほとんど必要としない機械化したＰＣ床版架設機およびＰＣ床版の架設工法を提供することを目的とする。
【課題を解決するための手段】
【０００５】
前記の課題を有利に解決するために、第１発明の自走式ＰＣ床版架設機においては、桁上にＰＣ床版を架設する自走式ＰＣ床版架設機において、前後方向に延長するガーダの中間部に、枠内側が開放された枠型前部脚および枠型後部脚が間隔をおいて配置されると共に前記枠型前部脚および枠型後部脚の上部が固定され、枠型前部脚および枠型後部脚には架設機昇降用ジャッキを備え、前記ガーダには前後方向に延長する走行用レールが枠型前部脚内および枠型後部脚内を通るように設けられ、前記走行用レールに、下部に旋回部を有する走行用トロリが走行可能に設けられ、前記旋回部に吊り装置が設けられていることを特徴とする。
【０００６】
また、第２発明では、第１発明の自走式ＰＣ床版架設機において、枠型前部脚および枠型後部脚の左右両側にそれぞれ外側に張り出す一側部支持レールと他側部支持レールが設けられ、各一側部支持レールにそれぞれ支持される横行用トロリに渡って設けられた一側部防護足場兼支保工装置と、各他側部支持レールに支持される横行用トロリに渡って設けられた他側部防護足場兼支保工装置とが、桁を囲むように相互に接近および離反移動可能に構成されていることを特徴とする。
【０００７】
また、第３発明のＰＣ床版の架設工法においては、第１発明または第２発明の自走式ＰＣ床版架設機を使用して、自走式ＰＣ床版架設機をジャッキアップして前部レールから前部走行車輪を浮かせ、その前部レールの前部を前方にかつ前部レールの後端部を前部走行車輪の下に搬送移動して桁上に敷設し、前部レールを取り除いた区間の桁上にＰＣ床版を架設した後、既設の床版上レールに接続するように前記ＰＣ床版上に新設の床版上レールを設け、次いで前部レールおよび床版上レールを利用して自走式ＰＣ床版架設機を次にＰＣ床版を架設する区間に移動させる工程を繰り返すことを特徴とする。
【発明の効果】
【０００８】
第１発明の自走式ＰＣ床版架設機によると、枠内側が開放された枠型前部脚と枠型後部脚とをガーダの中間部に間隔をおいて前後の各枠型脚の上部を固定することにより、枠型前部脚と枠型後部脚との間の側方が開放されてＰＣ床版を旋回可能な空間を確保することができ、ガーダに設けられた走行用レールに沿って走行する走行用トロリの旋回台に設けられた吊り装置を利用して、橋軸方向に短く橋軸直角方向に長いＰＣ床版を橋軸方向に長い方を向けて前後の枠型脚間まで吊り下げ搬送した後、旋回回動して橋幅員方向に容易にＰＣ床版を旋回回動して向きを直して設置することができる。
そのため、高架桁側部の狭い下部側道からＰＣ床版を吊り上げることなく、自走式ＰＣ床版架設機から離れた後方の交通障害の少ない広い高架桁側部の側道または交通障害にならない径間の間からＰＣ床版を適宜台車により自走式ＰＣ床版架設機の後部に搬送して、ＰＣ床版架設機によりＰＣ床版を容易に鋼桁上に設置することができ、昼夜を問わず鋼桁上の高所においてＰＣ床版の搬送・設置作業をすることができるので、ＰＣ床版の設置を効率よく短工期で経済的に施工することができる。
【０００９】
第２発明によると、本発明の自走式ＰＣ床版架設機は、一側部防護足場兼支保工装置と他側部防護足場兼支保工装置とが、鋼桁を囲むように相互に接近および離反移動可能に構成されているため、並行する鋼桁間の間隔（ＰＣ床版の幅員変化）に応じて、一側部防護足場兼支保工装置と他側部防護足場兼支保工装置とを接近または離反させて防護足場およびその足場を利用した支保工を容易に配置することができ、作業者の安全を確保しながら街路の安全を確保することができ、しかも足場を含めてＰＣ床版架設機全体を機械化することができる。
【００１０】
第３発明によると、第１発明または第２発明の自走式ＰＣ床版架設機を使用して、狭い桁上でも効率よく容易に桁上にＰＣ床版を架設することができ、また、自走式ＰＣ床版架設機を容易に次にＰＣ床版を架設する桁上の区間に移動させることができる。
【発明を実施するための最良の形態】
【００１１】
まず、図１〜図５を参照して本発明の一実施形態の自走式ＰＣ床版架設機の構造について説明する。
【００１２】
前後方向に延長する鋼製トラスガーダ１は、２径間よりも長く設定され、前後方向に延長するトラスガーダ１の中間部に、枠型前部脚２と枠型後部脚３とがほぼ一径間の間隔と同じ長い配置間隔で配置され、鋼製ロ字状の枠型前部脚２における上部横杆４の中間部が溶接等により固定され、また、鋼製ロ字状の枠型後部脚３の上部横杆４の中間部が固定され、各枠型前部脚２および枠型後部脚３は鋼製ロ字状の枠型フレームとされ枠内を開放空間とし、ＰＣ床版の搬送・旋回あるいはレールの搬送を可能にしている。前記の枠型前部脚２および枠型後部脚３は少なくともＰＣ床版旋回可能な間隔をおいて配置される。
【００１３】
各枠型前部脚２および枠型後部脚３の下部には、左右方向に間隔をおいて走行用車輪５を備えていると共にこれを保持する車輪支持部にはレール側面に係合するガイドローラ６を備え（図４参照）、かつ枠型前部脚２の左右両側にはそれぞれ架設機昇降用ジャッキ７を備えている。枠型後部脚３に設けられている走行用車輪５は、図示の形態では、架設されたＰＣ床版８上に設置された床版上レール９を走行し、空気圧式ゴムタイヤ製の走行用車輪５とされている。また、枠型前部脚２に設けられた走行用車輪５は、ゴム製の車輪とされ、桁３７上に架設された前部レール４０上を走行する形式とされている。
【００１４】
さらに、図３，図５に示すように、前記トラスガーダ１の前後両側には、ほぼトラスガーダ１の全長にわたって前後方向に延長するように左右両側に走行用レール１０が設けられ、その左右両側の走行用レール１０には、トロリフレームの上部の前後の左右両側に前後方向に間隔をおいてそれぞれ走行車輪１１を有する自走式トロリ１２が前後方向に走行可能に吊り下げ支持されて、トラスガーダ１の前後方向の全長にわたり走行可能とされている。
【００１５】
また、１台の自走式トロリ１２が前記一対の走行用レール１０に支持され、前記自走式トロリ１２の左右方向の寸法は、各枠型前部脚２および枠型後部脚３の左右の縦枠１３の内側間隔よりも小さく設定されており、したがって、１台の自走式トロリ１２は、ほぼトラスガーダ１の前後方向の全長にわたって走行可能に構成されている。
【００１６】
前記走行用トロリ１２のフレーム１４の下部には、旋回支持台１５の上部が固定され、その旋回支持台１５の下部には、環状外歯１６を有する旋回台１７が旋回可能に支持され、図示省略の駆動装置により旋回される環状外歯１６の縦中心軸線を中心として旋回可能に支持されている。例えば、前記旋回支持台１５側に設けられた駆動装置（図示省略）の出力軸に固定の駆動歯車が前記環状外歯車１６に噛み合わされて、前記旋回台１７は正旋回または逆旋回可能に構成されている。
【００１７】
前記のトラスガーダ１，各枠型前部脚２および枠型後部脚３並びにこれらの車輪５，架設機昇降用ジャッキ７および自走式トロリ１２並びに吊り装置１８等により自走式ＰＣ床版架設機３９が構成されている。
【００１８】
前記の旋回台１７の下部には吊り装置１８が設けられている。図示の形態の吊り装置１８では、前記旋回台１７に設けられた吊り杆１９に、電気チェーンブロック２０の上部（例えば、上部フックあるいは上部環状部）が吊り下げ係止されて、前記電気チェーンブロック２０は、旋回台１７の旋回により旋回可能に構成されている。
【００１９】
したがって、旋回台１７の旋回により前記電気チェーンブロック２０は旋回され、電気チェーンブロック２０から繰り出されるリンクチェーンの下フック２１に吊り下げ条体２２を介して吊り下げ支持される新設のＰＣ床版８を、例えば９０度等適宜の角度、回動することができる。
【００２０】
このように構成しているので、橋軸方向の巾が短く、かつ橋軸直角方向の長さ寸法の長い新設のＰＣ床版８を、橋軸直角方向の長い部分を橋軸方向に向いた状態で、既設側の床版上レール９上を走行する運搬台車２３によりトラスガーダー１の走行用レール１０直下まで搬送し、運搬台車２３上の前記ＰＣ床版８を、自走式トロリ１２の下部の吊り装置１８により吊り上げると共にＰＣ床版８をその姿勢の状態で橋軸方向に吊り下げ搬送して、枠型後部脚３と枠型前部脚２との間にＰＣ床版８が位置するように搬送し、前記旋回台１７を９０度旋回させることで、ＰＣ床版８を９０度回動させて所定の配置姿勢にすることができ、その状態で設置位置まで搬送し、吊り降ろして所定の設置位置に設置することができる。
【００２１】
なお、ＰＣ床版８の設置位置が、枠型後部脚３と枠型前部脚２とのほぼ中央部付近の位置では、その位置で前記旋回台１７を９０度旋回させ、吊り降ろして所定の位置に設置すればよく、ＰＣ床版を旋回する位置は、適宜、設置場所に応じて、枠型後部脚３と枠型前部脚２間で行なえばよい。
【００２２】
図示の形態では、枠型後部脚３の左右の縦枠１３の間隔が、設置される状態におけるＰＣ床版８の橋軸直角方向（左右方向）の寸法よりも狭い間隔とされ、かつ、ＰＣ床版８の橋軸方向の寸法は、枠型後部脚３の左右の縦枠１３間の間隔よりも短い寸法とされているため、前記のように、全てのＰＣ床版８を９０度旋回して設置するようにしている。
【００２３】
各枠型後部脚３および枠型前部脚２の下部には、それぞれ左右方向の横方向外側に張り出すＨビームからなる一側部支持レール２４ａと他側部支持レール２４ｂの基端部が固定されて横行用レールが形成されると共に、前記各一側部支持レール２４ａと他側部支持レール２４ｂの中間部と各縦枠１３の中間部とは斜材により連結されて、前記各一側部支持レール２４ａと他側部支持レール２４ｂとの横行用レールは支持されている。
【００２４】
左右方向に間隔をおく一側部側および他側部側の各支持レール２４には、自走式等の横行用トロリ２５が左右方向の位置調整可能に架設され、左右方向の一方における前部側および後部側の各横行用トロリ２５における各フレーム２６の外側下部（桁に離反する外側下部）にわたって、前後方向にほぼ一径間にわたって延長する防護足場フレーム２７ａの上部が溶接またはボルト等の固定手段により取付けられ、また、左右方向の他方における前部側および後部側の各トロリフレーム２６の外側下部（桁に離反する外側下部）にわたって前後方向にほぼ一径間にわたって延長する防護足場フレーム２７ｂの上部が溶接またはボルト等の固定手段により取付けられている。
【００２５】
左右の各防護足場フレーム２７ａ，ｂの下部には、それぞれ防護足場フレーム２７ａ，ｂの前後方向の全長にわたって設けられ、かつ桁側に向かって内向きに張り出す水平な固定足場板２８の基端部が固定されている。また、図示を省略するが、前記の防護足場フレーム２７の外側面には、縦防護用ネット２９が張設される。
【００２６】
前記の自走式等の横行用トロリ２５の左右方向の位置調整は、図示省略の横行駆動装置に付属するブレーキシュウによって一時的に固定した状態で、横行用トロリフレーム２６と一側部支持レール（または他側部支持レール）２４の横行用レールとに孔を設けて、ピンまたはボルト・ナット等の着脱可能な位置固定金具により前後方向に位置調整可能に構成される。
【００２７】
前記各固定足場板２８の桁側に向かう内側下部には、防護用ネット支持部材３０が縦軸３１を中心として、ロータリアクチエータ等の旋回駆動装置３２により旋回位置調整可能に回動可能に取付けられている。左右方向の一方側の各防護用ネット支持部材３０ａにおける水平な旋回回動用横杆３８にわたって防護用ネット３３ａが張設されると共に前記各防護用ネット支持部材３０に取付けられ、また、左右方向の他方側の各防護用ネット支持部材３０にわたって防護用ネット３３ｂが張設されていると共に取付けられて、防護用ネット３３ａ，３３ｂは各防護用ネット支持部材３０ａ（３０ｂ）により支持されている。
【００２８】
左右方向の一方の一側部支持レール（横行用レール）２４ａと各横行用トロリ２５と防護足場フレーム２７ａと固定足場板２８と防護用ネット支持部材３０および防護用ネット２９，３３ａにより、左右方向に移動可能な一方の防護足場装置が構成され、その防護足場装置に図示を省略するが傾倒可能な伸縮式支柱等の支保工が各固定足場板２８等に付属されて防護足場兼支保工装置３４ａが構成され、また、左右方向他方側の他側部支持レール（横行用レール）２４と各横行用トロリ２５と防護足場フレーム２７と固定足場板２８と防護用ネット支持部材３０および防護用ネット２９，３３により、左右方向に移動可能な他方の防護足場装置が構成され、その防護足場装置に図示を省略するが傾倒可能な伸縮式支柱等の支保工が足場等に付属されて防護足場兼支保工装置３４ｂが構成されている。なおまた、図示を省略するが、各防護足場兼支保工装置３４ａ，３４ｂにおける旋回回動用横杆３８に支持させるように伸縮式支柱などの着脱可能な支保工を立設させて型枠を突っ張り支持させるようにすることもできる。
【００２９】
左右方向の一方および他方の各防護足場兼支保工装置３４ａ，ｂが左右方向に移動可能にされている構成により、高架橋骨組みにおける橋軸方向に並行する橋軸直角方向の桁３７の間隔が変化しても、あるいは前記桁３７に取付けられる橋軸直角方向に張り出す片持ち式支持梁３５の張り出し寸法が変化しても対応可能に構成されている。例えば、橋脚３６上に２列に並行する鋼桁間隔が広幅とされた場合には、図５に示すように、前記各桁３７および片持ち式支持梁３５の側部近傍に、足場および防護用ネットを配設したり、狭巾に対しては、図３に示すように、前記各桁３７および片持ち式支持梁３５の側方および下方全体を囲むように防護足場を形成することができる。
このようにして、防護足場を有する自走式ＰＣ床版架設機３９が構成されている。
【００３０】
なお、図示を省略するが、前記実施形態の自走式ＰＣ床版架設機に型枠板あるいは養生設備（図示省略）を固定足場板２８に配置して付属させておくことができる。このようにしておくと、ＰＣ床版８を架設しない橋軸方向端部の場所打ち床版部では、前記の自走式ＰＣ床版架設機により、橋軸直角方向に配置する型枠板を支持して場所打ちコンクリートを打設し、養生硬化させて場所打ち床版を構築する場合に有利である。
【００３１】
枠型後部脚３と枠型前部脚２との間の間隔は、ほぼ一径間長の長さ寸法とされ、また前部レール４０の長さ寸法もほぼ同様な寸法とされている。
【００３２】
次に、図１および図６〜図８を参照して、本発明の移動式架設機を使用して並行する桁３７上にＰＣ床版を架設施工する方法について説明する。
【００３３】
先ず、図１および図６の状態は、並行する桁３７上にわたって、橋軸直角方向に間隔をおくと共に橋軸方向にＰＣ鋼材挿通孔を有するＰＣ床版８が多数並べて架設され、各ＰＣ床版８に橋軸方向にＰＣ鋼材が挿通配置され、ＰＣ床版８の上部間に目地部モルタルが充填硬化され、ＰＣ鋼材が緊張・定着されて一体化された既設のＰＣ床版８ａ上にレール（床版上レール）９が設置され、本発明の自走式架設機３９の枠型後部脚３におけるゴムタイヤを備えた車輪５が前記床版上レール９上に載置され橋軸方向の新設側に近接した位置に進行した状態であると共に、新たにＰＣ床版８を架設しようとする径間の前部レール４０（受け金具４７付きのレール）が取り外されて、その前部レール４０をさらに新設側の径間の鋼桁３７上に移設され、その前部レール４０上に自走式架設機３９における枠型前部脚２の前部車輪５が載置されている状態である。
【００３４】
図６に示す状態で、床版上レール９上を移動する後方から運搬台車２３によりＰＣ床版８を、自走式架設機３９の後部直下に搬送し、次いで前記自走式架設機３９に付属する橋軸方向に搬送可能な吊り装置１８により、前記新たに架設用のＰＣ床版８を吊り上げて橋軸方向新設側に搬送する。なお、前記運搬台車２３上にＰＣ床版８を載置する工程は、図示を省略するが、交通障害が比較的少ない後方の桁架設前の鋼脚間の広い地上または桁架設後において、側道等の道路上に移動式クレーンを配置して、移動式クレーンにより吊り上げ載置する。
【００３５】
前記のＰＣ床版８は橋軸直角方向を橋軸方向に向けて搬送しているため、枠型前部脚２と枠型後部脚３との間の適当な位置において、吊り装置１８を９０度旋回させることで、前記ＰＣ床版の向きを９０度回転させて所定の配置姿勢にし、この状態で、既設側のＰＣ床版８に隣接するように搬送して桁３７上に吊り下げ設置する。
【００３６】
前記のＰＣ床版８の搬送設置工程を必要回数繰り返して、図７に示すように多数のＰＣ床版８を所定の位置に搬送設置する。ＰＣ床版８と鋼桁３７とは、鋼桁３７に固定のスタッドボルト５２をＰＣ床版８の上下に貫通した矩形状貫通孔に位置させ、モルタルを充填して一体化する。
【００３７】
図８に示すように、次の橋脚３６付近または橋脚３６上まで、所定枚数のＰＣ床版８を架設した後、図１１ａに示すように、ＰＣ床版８相互間の目地部４１にＰＣ鋼材挿通孔相互が連通するようにシースを配置し、目地部に無収縮モルタル４２を充填し硬化させた後、前記各ＰＣ床版８の橋軸方向のＰＣ鋼材挿通孔４３に渡ってＰＣ鋼材４４を挿通配置し、各ＰＣ鋼材４４の端部を端部ＰＣ床版８の端部に緊張定着し（図１１ｂ参照）、各ＰＣ床版８を一体化する。（図１１ａ〜ｃ参照）
【００３８】
端部のＰＣ床版８には、場所打ちコンクリートによる床版４４と一体化するための埋め込み連結鉄筋４５を張り出させておき、前記場所打ちコンクリートによる床版４４と一体化し、既設床版８ａを構築する。（図１１ｂ参照）
【００３９】
なお、必要に応じて、ＰＣ床版端部の場所打ち床版およびＰＣ床版間の調整目地部にコンクリート（または無収縮モルタル）を打設する場合の型枠（図示を省略）はトラスから吊られている足場、養生装置を使って組立てコンクリート（または無収縮モルタル）を打設する。
【００４０】
次いで、自走式ＰＣ床版架設機３９における枠型後部脚３の架設機昇降用ジャッキ７、または前後の枠型脚２，３における架設機昇降用ジャッキ７を伸長して鋼桁３７に着座させると共にさらに伸長して、自走式ＰＣ床版架設機３９の後部または全体をジャッキアップさせる。なお、自走式ＰＣ床版架設機３９を橋軸方向に前進移動するときに、防護足場装置３４およびこれに付属する旋回回動用横杆３８および防護用ネット３３が橋脚３６等に干渉しないように、適宜後退移動しておく。
【００４１】
この状態では、枠型後部脚３に付属している車輪５が既設床版上レール９の端部付近で浮いている状態で、その既設床版上レール９の端部に接続するように、橋軸方向に一体化されたＰＣ床版８上に並行する一対のレールが梯子状等に組まれた新設の床版上レール９を架設設置する。
【００４２】
前記の新設の床版上レール９を架設するには、後方の搬送台車２３等により床版上用のレール７をＰＣ床版架設機３９の後部に搬送し、電気チェーンブロック２０により吊り上げ搬送して新設のＰＣ床版８上に設置すればよい。
【００４３】
この新設の床版上レール９の長さは、自走式ＰＣ床版架設機３９における前後の枠型脚２，３の中心間隔をほぼ一径間としている場合（図示の場合）に、ほぼ一径間分の長さであることが一回の設置作業ですむので望ましい。床版上レール９は適宜ＰＣ床版８に着脱可能な固定手段により固定され、例えばＰＣ床版８にアンカー孔を穿設して、雌ねじインサートを埋め込み配置してボルト等により床版上レール９の下部を固定する。
【００４４】
前記のように新設のＰＣ床版８上に床版上レール９を架設した後、架設機昇降用ジャッキ７を短縮してＰＣ床版架設機３９の車輪５を床版上レール９に載置し、この状態で、新設の床版上レール９と前部レール４０上とに、それぞれＰＣ床版架設機３９の枠型後部脚３に付属する車輪５および枠型前部脚２に付属する車輪５を転動するようにＰＣ床版架設機３９を新たにＰＣ床版８を架設するほぼ一径間分の新設区間に前進移動する。なお、前部レール４０は断面Ｔ字状の鋼製受け金具４７を介して鋼桁３７等に支持されている。受け金具４７に前部レール４０はボルト４８により着脱可能に取付けられ、受け金具４７は鋼桁３７等にボルト等の適宜の手段により固定されている。前記の受け金具４７は鋼桁３７上に固定されている橋軸方向２列のスタッドボルト５２と前部レール４０が干渉しないように受け金具４７を介して支承され、受け金具４７にはスタッドボルト５２の頭部を収容するための溝５３を備えている。
【００４５】
この状態で、前部レール４０を取り除くと、その区間の鋼桁３７上に新たにＰＣ床版８を架設することができるので、運搬台車２３によりＰＣ床版架設機後部に搬送されるレール吊り下げ治具４９を電気チェーンブロック２０により枠型前部脚２および枠型後部脚３間に位置するように吊り下げ搬送し、また鋼桁３７等から受け金具４７を取り外すと共に、前部レール４０にレール吊り下げ治具４９の連結金具５０を連結した後、自走式ＰＣ床版架設機３９における枠型前部脚２の架設機昇降用ジャッキ７、または前後の枠型脚２，３における架設機昇降用ジャッキ７を伸長して鋼桁３７に着座させると共にさらに伸長して、自走式ＰＣ床版架設機３９の前部または全体をジャッキアップさせる。なお、前記の前部レール４０は並行する一対レールが梯子状等に組まれた状態で搬送設置すると効率がよい。
【００４６】
この状態では、枠型前部脚２に付属している車輪５が前部レール４０の前端部付近で浮いている状態であるので、自走式トロリ１２を前進走行させて、レール吊り下げ治具４９および受け金具付き前部レール４０を前方の区間に吊り下げ移動し、前部レール４０の後端部を枠型前部脚下部の車輪の下側に挿入するように吊り下げ降下させて、受け金具４７を鋼桁３７等にボルト等により取付けた後、架設機昇降用ジャッキ７を短縮駆動して、自走式ＰＣ床版架設機３９を前部レール４０上に載置した後、レール吊り下げ治具４９を電気チェーンブロック２０および運搬台車２３により後方の適宜の場所に搬送する。
【００４７】
その後、防護足場装置３４およびこれに付属する旋回回動用横杆３８および防護用ネット３３を橋軸直角方向に前進または旋回回動して所定の位置に設置した後、前記と同様に、並行する鋼桁３７上の橋軸方向にＰＣ床版８を架設していく。
【００４８】
このような工程を必要回数繰り返して、鋼桁３７上の橋軸方向にＰＣ床版８を架設していくと共に端部の場所打ち床版を構築する。
【００４９】
以上のＰＣ床版架設機を使用したＰＣ床版の架設手順を簡単に記すと以下のようになる。
（１）地上から移動式クレーンにより運搬台車２３にＰＣ床版８を載置する。
（２）ＰＣ床版８を載置した運搬台車２３を移動して自走式架設機３９まで移動する。
（３）自走式架設機３９に付属する走行式トロリおよびその下部に懸架した電気チェーンブロックにより、ＰＣ床版８を吊り上げ、移動、旋回、吊り下げ下降を行なって桁３７上に配置する。
（４）前記（１）〜（３）を繰り返して、必要組数のＰＣ床版８を桁３７上に設置する。
（５）自走式架設機３９を昇降用ジャッキ７によりジャッキアップ後、床版上レール９をＰＣ床版８上に、トロリ付き電気チェーンブロック２０を使用し配置する。
（６）昇降用ジャッキ７を短縮して、自走式架設機３９をジャッキダウン後、架設進行方向へ移動する。
（７）自走式架設機３９における昇降用ジャッキ７を伸長しジャッキアップ後、トロリ付き電気チェーンブロック２０により、ＰＣ床版配置予定の前部レール４０を吊り上げて、前方に移動し、次径間へ前部レール４０を敷設する。
（８）前記（１）〜（７）の作業を繰り返す。
【００５０】
このように本発明の移動式架設機３９を使用すると、高架桁３７の下方の道路（側道５１）が狭い場合にも、移動式架設機３９の近傍の道路に移動クレーン車（図示を省略した）を配置することなく、高架桁３７上にＰＣ床版８を効率よく設置することができる。
【００５１】
本発明を実施する場合、橋脚中心間（支点間）に合うように枠型前部脚２と枠型後部脚３を配置した架設機とするとよい。
【００５２】
前記実施形態では、各防護足場兼支保工装置が一径間分の長さ寸法とされているので、ＰＣ床版架設機を移動させるだけで、橋脚間に確実に防護足場兼支保工装置を容易に構成することができる。
【００５３】
また、前記実施形態では、各防護足場兼支保工装置における固定足場板の内側先端下部に、回動して固定足場板から突出したり退避可能な旋回回動用横杆を備えた防護用ネット支持部材を設けて防護用ネットを支持するだけで、防護用ネットを展開したり退避位置に折り畳むように回動して退避することができる。
【００５４】
また、前記実施形態では、防護用ネット支持部材を所定角度旋回させるだけで、防護用ネットを展開したり、退避させることができ、したがって、橋脚間の鋼桁幅の狭い区間では、桁下側全体を包むように展開させたり、橋脚間の鋼桁幅の広い区間では、桁下側を囲むように展開させたりすることができ、また、次の橋脚間に移動するときには、退避させて橋脚部外側を通過させることができる。
【図面の簡単な説明】
【００５５】
【図１】本発明の一実施形態の自走式ＰＣ床版架設機を高架桁上で使用している状態を示す概略側面図である。
【図２】図１の一部を拡大して示す側面図である。
【図３】図１のＡ−Ａ線断面図である。
【図４】（ａ）は鋼桁上に設けられる受け台と、前部側レールと走行車輪との関係を示す概略正面図、（ｂ）は一部縦断側面図である。
【図５】幅員が広い場合に各横行用トロリおよび防護足場装置を外側に移動した状態を示す一部縦断正面図である。
【図６】自走式ＰＣ床版架設機を使用して鋼桁上にＰＣ床版を架設する場合の各装置の配置状態を示す概略側面図である。
【図７】自走式ＰＣ床版架設機を使用して、鋼桁上にＰＣ床版を架設した状態を示す概略側面図である。
【図８】自走式ＰＣ床版架設機をジャッキアップして、前部レールを次の径間側に吊り下げ搬送して架設する直前の状態を示す概略側面図である。
【図９】橋軸方向のＰＣ床版の配置形態と場所打ち床版部の配置形態の一例を示す概略平面図である。
【図１０】図９におけるＰＣ床版部の一部を拡大して示す概略平面図である。
【図１１】（ａ）はＰＣ床版相互の目地部およびＰＣ床版相互に渡ってＰＣ鋼材を挿通配置している状態を示す縦断側面図、（ｂ）はＰＣ床版部と場所打ち床版部の連結部付近を示す縦断側面図、（ｃ）は橋軸方向の中間部のＰＣ床版でＰＣ鋼材を定着する場合の構造を示す縦断側面図である。
【図１２】（ａ）および（ｂ）はそれぞれＰＣ鋼材挿通孔を有するＰＣ床版の例を示す正面図である。
【符号の説明】
【００５６】
１  鋼製トラスガーダ
２  枠型前部脚
３  枠型後部脚
４  上部横杆
５  走行用車輪
６  ガイドローラ
７  架設機昇降用ジャッキ
８  架設されたＰＣ床版
９  床版上レール
１０  走行用レール
１１  走行車輪
１２  自走式トロリ
１３  縦枠
１４  走行用トロリのフレーム
１５  旋回支持台
１６  環状外歯
１７  旋回台
１８  吊り装置
１９  吊り杆
２０  電気チェーンブロック
２１  下フック
２２  吊り下げ条体
２３  運搬台車
２４ａ  一側部支持レール（横行用レール）
２４ｂ  他側部支持レール（横行用レール）
２５  横行用トロリ
２６  横行用トロリのフレーム
２７ａ  防護足場フレーム
２７ｂ  防護足場フレーム
２８  固定足場板
２９  縦防護用ネット
３０  防護用ネット支持部材
３１  縦軸
３２  旋回駆動装置
３３ａ  防護用ネット
３３ｂ  防護用ネット
３４ａ  防護足場兼支保工装置
３４ｂ  防護足場兼支保工装置
３５  支持梁
３６  橋脚
３７  桁
３９  自走式架設機
４０  前部レール
４１  目地部
４２  無収縮モルタル
４３  ＰＣ鋼材挿通孔
４４  場所打ち床版
４５  埋め込み連結鉄筋
４６  架設機昇降用ジャッキ
４７  受け金具
４８  ボルト
４９  レール吊り下げ金具
５０  連結金具
５１  側道
５２  スタッドボルト
５３  溝
５４  貫通孔
【図１】
2006028881.tif 000003
【図２】
2006028881.tif 000004
【図３】
2006028881.tif 000005
【図４】
2006028881.tif 000006
【図５】
2006028881.tif 000007
【図６】
2006028881.tif 000008
【図７】
2006028881.tif 000009
【図８】
2006028881.tif 000010
【図９】
2006028881.tif 000011
【図１０】
2006028881.tif 000012
【図１１】
2006028881.tif 000013
【図１２】
2006028881.tif 000014